(57)【要約】      （修正有）【課題】トンネル用の照明装置に用いられる光学レンズにおいて、光源から放射された光を所定方向に配光制御して、光ムラを抑制する。【解決手段】光学レンズ３は、光源からの光が入射される入射面３１と、入射面３１に入射された光を出射する出射面３２とを有する。出射面３２は、凸状の外郭形状を成し、出射面３２の断面形状が、曲率半径の異なる複数の曲線Ｃ１，Ｃ２から成り、入射面３１の中央部と対峙する位置に、曲率半径の大きな第１の曲線Ｃ１が配され、第１の曲線のＣ１両側に曲率半径が小さい第２の曲線Ｃ２が夫々配されている。この構成によれば、出射面３２の第１の曲線Ｃ１によって模られる箇所からの光の一部が抑制され、出射面３２の第２の曲線Ｃ２によって模られる箇所からの光の一部が促進され、光学レンズ３からの出射光を均一化することができる。【選択図】図３
2012212574.tif 000002
【特許請求の範囲】
【請求項１】
光源からの光が入射される入射面と、前記入射面に入射した光を出射する出射面とを有し、前記光源からの光を拡散して出射する光学レンズであって、
前記出射面は、凸状の外郭形状を成し、
前記入射面の中央部を通る法線を含む一平面における前記出射面の断面形状が、曲率半径の異なる複数の曲線から成り、前記入射面の中央部と対峙する位置に、曲率半径の大きな第１の曲線が配され、前記第１の曲線の両側に、該第１の曲線より曲率半径が小さい第２の曲線が夫々配されていることを特徴とする光学レンズ。
【請求項２】
前記第１の曲線及び前記第２の曲線の境界が、滑らかに連続していることを特徴とする請求項１に記載の光学レンズ。
【請求項３】
前記第２の曲線の前記入射面と連続する端部が、前記入射面の中央部寄りに屈曲していることを特徴とする請求項１又は請求項２に記載の光学レンズ。
【請求項４】
前記入射面は、その中央部に凹部を有することを特徴とする請求項１乃至請求項３のいずれか一項に記載の光学レンズ。
【請求項５】
前記一平面と直交する平面における前記凹部の断面形状が、前記平面における前記出射面の断面形状を成す曲線とは軌道が異なる曲線から成ることを特徴とする請求項４に記載の光学レンズ。
【請求項６】
前記出射面は、前記一平面と直交する平面視において、その両端領域にグレア抑制加工が施されていることを特徴とする請求項１乃至請求項５のいずれか一項に記載の光学レンズ。
【請求項７】
請求項１乃至請求項６のいずれか一項に記載の光学レンズを備えた照明装置。
【発明の詳細な説明】
【技術分野】
【０００１】
本発明は、光源から放射された光の配光を制御する光学レンズ及びそれを用いた照明装置に関する。
【背景技術】
【０００２】
発光ダイオード（以下、ＬＥＤ）は、低電力で高輝度の発光が可能であり、表示等や照明器具等の様々な電気機器の光源として使用されている。近年では、赤色ＬＥＤ及び緑色ＬＥＤに加えて、青色ＬＥＤが実用化され、これらＲＧＢ３色のＬＥＤを組み合わせることにより、様々な光色を発光することができる。また、青色ＬＥＤと黄色系蛍光体とを組み合わせた、いわゆる白色ＬＥＤが他分野で利用されている。
【０００３】
ＬＥＤは、蛍光灯等の従来の光源に比べて長寿命であり、交換やメンテナンスの手間が少ないことから、信号機や各種表示灯の光源として利用されている。また、ＬＥＤを、高速道路や一般道路等の道路照明の光源として用いたものが知られている（例えば、特許文献１参照）。上記特許文献１に記載の照明装置においては、ＬＥＤからの光を収束させる第１及び第２の収束部と、これらを橋渡しする発散部とを有する光学レンズを用いることにより、道路の広い範囲に光が照射されるようになされている。
【０００４】
ところで、トンネル用照明装置の技術分野においては、図１４に示すように、車両等が走行する方向に平行な面をＢ断面といい、このＢ断面に直交するする面をＡ断面という。トンネル用照明装置においては、Ｂ断面に沿う方向への光の照射範囲が広いことが望まれ、一方、Ａ断面に沿う方向については、路面の所定範囲を照明できればよく、また、輝度低下を抑制するためには、光の照射範囲はある程度制限されている方が好ましい。
【０００５】
そこで、図１５（ａ）（ｂ）に示すような、半楕円形状の光学レンズ１０３を用いることにより、Ａ断面方向及びＢ断面方向の夫々の光の照射範囲を制御することができる。この光学レンズ１０３を用いた照明装置の配光曲線を図１６に示す。光学レンズ１０３を用いることにより、Ｂ断面に沿う方向には、広い範囲に光を照射することができ、また、Ａ断面に沿う方向には、Ｂ断面に比べて狭い範囲に光を照射することができる。
【０００６】
【特許文献１】特開２０１０−５２４１７０号公報
【発明の開示】
【発明が解決しようとする課題】
【０００７】
しかしながら、上記光学レンズ１０３を用いた場合、Ａ断面に沿う配光曲線は、配光角度１０〜２０°における膨らみが大きく（上記図１６中Ｌ１で示す領域）、一方、配光角度３０〜４０°における膨らみが小さい（図中Ｌ２で示す領域）。このような配光によれば、車線中心部の輝度は高くなるが、路肩近傍の輝度が低くなり、トンネル内の路面全体の輝度が不均一となり、光ムラを生じる虞がある。また、Ａ断面に沿う光が、光学レンズ３の側面から一部漏れており（図中Ｌ３で示す領域）、光利用効率を低下させていた。
【０００８】
また、上記特許文献１に記載の照明装置は、光学レンズからは広い範囲に均等に光が照射されるが、照射面においては、その距離や配置等に応じて光ムラを生じることがある。
【０００９】
本発明は、上記課題に鑑みてなされたものであり、主としてトンネル用照明に用いられ、光源から放射された光を所定方向に配光制御して、照射面（路面）における光ムラを抑制することができる光学レンズ及びそれを用いた照明装置を提供することを目的とする。
【課題を解決するための手段】
【００１０】
上記課題を解決するため、本発明に係る光学レンズは、光源からの光が入射される入射面と、前記入射面に入射した光を出射する出射面とを有し、前記光源からの光を拡散して出射する光学レンズであって、前記出射面は、凸状の外郭形状を成し、前記入射面の中央部を通る法線を含む一平面における前記出射面の断面形状が、曲率半径の異なる複数の曲線から成り、前記入射面の中央部と対峙する位置に、曲率半径の大きな第１の曲線が配され、前記第１の曲線の両側に、該第１の曲線より曲率半径が小さい第２の曲線が夫々配されていることを特徴とする。
【００１１】
上記光学レンズにおいて、前記第１の曲線及び前記第２の曲線の境界が、滑らかに連続していることが好ましい。
【００１２】
上記光学レンズにおいて、前記第２の曲線の前記入射面と連続する端部が、前記入射面の中央部寄りに屈曲していることが好ましい。
【００１３】
上記光学レンズにおいて、前記入射面は、その中央部に凹部を有することが好ましい。
【００１４】
上記光学レンズにおいて、前記一平面と直交する平面における前記凹部の断面形状が、前記平面における前記出射面の断面形状を成す曲線とは軌道が異なる曲線から成ることが好ましい。
【００１５】
上記光学レンズにおいて、前記出射面は、前記一平面と直交する平面視において、その両端領域にグレア抑制加工が施されていることが好ましい。
【００１６】
上記光学レンズ、照明装置に用いられることが好ましい。
【発明の効果】
【００１７】
本発明によれば、出射面の断面形状が、曲率半径の大きな第１の曲線と、この第１の曲線の両側に配された第２の曲線によって成るので、出射面における第１の曲線によって模られる箇所からの光の一部が抑制される。一方、出射面の第２の曲線２によって模られる箇所からの光の一部が促進されるので、照射面における光ムラを抑制することができる。
【図面の簡単な説明】
【００１８】
【図１】本発明の一実施形態に係る光学レンズ及びそれを用いた照明装置の側断面図。
【図２】（ａ）は同光学レンズのトンネルのＢ断面（図１４参照、以下同）から見た裏面斜視図、（ｂ）は同裏面図。
【図３】同光学レンズのトンネルのＡ断面に沿った側面図。
【図４】同光学レンズのＡ断面に沿った側面図と一部拡大図。
【図５】（ａ）（ｂ）は同光学レンズのＡ断面における側断面図、（ｃ）はＢ断面に沿った裏面図。
【図６】同光学レンズのＢ断面に沿った側面図。
【図７】同光学レンズのＢ断面に沿った部分拡大上面図。
【図８】同光学レンズのトンネルのＢ断面から見た裏面斜視図。
【図９】同光学レンズの構成とそれによる配光曲線を示す図。
【図１０】同光学レンズの他の構成とそれによる配光曲線を示す図。
【図１１】（ａ）は同光学レンズの他の構成を示すＡ断面に沿った側断面図、（ｂ）はそれによる配光曲線を示す図。
【図１２】（ａ）は変形例に係る光学レンズのＢ断面に沿った側面図、（ｂ）は同Ｂ断面のやや斜めから見た側面図。
【図１３】変形例に係る光学レンズを備えた照明装置を用いた例を示す模式図。
【図１４】トンネルにおけるＡ断面及びＢ断面を説明するための斜視図。
【図１５】（ａ）は従来の光学レンズの上面図、（ｂ）は同斜視図。
【図１６】従来の光学レンズを備えた照明装置による配光曲線を示す図。
【発明を実施するための形態】
【００１９】
本発明の一実施形態に係る照明装置について、図１乃至図１０を参照して説明する。本実施形態の照明装置１は、図１に示すように、光源２０を有する光源ユニット２と、この光源ユニット２上に配置される光学レンズ３と、光源ユニット２及び光学レンズ３とを保持する保持板４と、を備える。なお、照明装置１は、街路灯等の種々の照明装置として用いられ得るが、以下、トンネル用照明装置として利用される例を説明する。また、上述したように、トンネルにおいて、車両等が走行する方向に平行な面をＢ断面といい、このＢ断面に直交するする面をＡ断面という。本例においては、上記図１に示したように、光源ユニット２及び光学レンズ３が、長手方向及び短手方向を有するように形成され、その長手方向がトンネルのＢ断面に沿うように配置された構成について説明する。
【００２０】
光源ユニット２は、上記光源２０に加えて、光源２０を搭載するベース部材２１と、ベース部材２１が取り付けられる取付枠２２と、を備える。光源２０は、複数のＬＥＤチップ（不図示）がマトリクス状に配置され、それらＬＥＤチップの光出射面に蛍光体を含有する波長変換部材が被覆されたものである。ＬＥＤチップには、例えば、青色光を放射するＧａＮ系青色ＬＥＤチップ等が用いられる。波長変換部材には、例えば、シリコーン樹脂等の透光性樹脂に、ＹＡＧ系黄色蛍光体が含有されたもの等が用いられる。ベース部材２１は、その中央領域に掘り込み形成された凹状部と、この凹状部の底面にはＬＥＤチップのアノード電極及びカソード電極に電気的に接続される配線パターン（不図示）とを備える。この配線パターンは、ベース部材２１の裏面側に設けられた電極取出部（不図示）に接続される。ベース部材２１は、ネジ止め又は接着等により取付枠２２に固定される。取付枠２２は、ベース部材２１の取付位置に、ベース部材２１の電極取出部に接続された配線を収納する収納部（不図示）と、上記配線を照明装置１外に取り出す配線口（不図示）とを備える。また、取付枠２２のベース部材２１の取付位置の周縁部、本例においては、当該周縁部の長手方向の両端部に、光源ユニット２を保持板４に固定するネジ５１を挿通させるためのネジ孔２３が形成されている。
【００２１】
光学レンズ３は、光源２０からの光が入射される入射面３１と、この入射面３１に入射された光を出射する出射面３２とを有する。出射面３２は、入射面３１に入射された光を拡散して出射できるように、凸状の外郭形状を成す。これら入射面３１及び出射面３２が、光学レンズ３のレンズ本体部３０を構成する。レンズ本体部３０は、Ｂ断面方向の幅が、Ａ断面方向の幅より大きくなるように形成されている。なお、後述する取付脚部３５を含め、光学レンズ３は、アクリル樹脂、ポリカーボネート樹脂又はガラス等、透光性に優れた材料から形成される。
【００２２】
入射面３１には、図２（ａ）（ｂ）に示すように、光源ユニット２のベース部材２１を収容する光源収納部３３が掘り込まれ、光源収納部３３の中央部における光源２０と対向する箇所に、凹部３４が更に掘り込み形成されている。光源収納部３３には、ネジ５１のネジ頭を収納する凹部３６が形成されている。
【００２３】
レンズ本体部３０の長手方向の両端部には、取付脚部３５が夫々延設されている。これら取付脚部３５は、レンズ本体部３０の短手方向に互い違いに設けられる。取付脚部３５は、レンズ本体部３０から水平に延びた延設部３５ａと、この延設部３５ａをレンズ本体部３０に接続する垂辺部３５ｃとを有し、延設部３５ａと光源収納部３３とが垂辺部３５ｂを介して段違い構造となるように形成されている。また、垂辺部３５ｂは、光源ユニット２（特に取付枠２２）の形状に合せて、光源収納部３３の中央が広くなるように、斜めに切りかかれている。また、垂辺部３５ｂの高さは、取付枠２２の長手方向の長さ及び取付枠２２の厚さに対応するように形成されている。延設部３５ａには、光学レンズ３を保持板４に固定するネジ５２を挿通させるためのネジ孔３７が形成されている。保持板４は、ネジ５１，５２が挿通される固定孔４１，４２と、トンネルの側壁又は天井等に固定するための任意の保持構造（不図示）とを備える。
【００２４】
光学レンズ３は、図３に示すように、入射面３１の中央部を通る法線ＮＬを含む一平面、本例では、トンネルのＡ断面における出射面３２の断面形状が、曲率半径の異なる複数の曲線Ｃ１，Ｃ２から成る。また、入射面３１の中央部と対峙する位置に曲率半径の大きな第１の曲線Ｃ１が配され、第１の曲線Ｃ１の両側に、第１の曲線Ｃ１より曲率半径が小さい第２の曲線Ｃ２が夫々配されている。
【００２５】
第１の曲線Ｃ１及び第２の曲線Ｃ２は、必ずしも正円の一部を成す円弧に限られない。例えば、第１の曲線Ｃ１は、法線ＮＬ方向を長軸とする楕円の一部を成す円弧であることが好ましい。こうすれば、第１の曲線Ｃ１の頂点部Ｐ４が突出するので、法線ＮＬ方向に対する光の照射を多くすることができる。
【００２６】
第１の曲線Ｃ１及び第２の曲線Ｃ２は、夫々曲率半径及び中心位置が異なるので、これらの交点Ｐ３には、図４の（Ａ）に示すような僅かな段差が生じる。そこで、図４の（Ｂ）に示すように、これら曲率半径の異なる曲線Ｃ１，Ｃ２の境界は、逆Ｒ状部Ｍによって滑らかに連続するように加工が施されることが好ましい。こうすれば、曲線Ｃ１，Ｃ２の境界によって生じる光ムラを抑制することができ、より自然な配光制御が可能となる。
【００２７】
光学レンズ３の、第２の曲線Ｃ２の入射面３１と連続する端部Ｃ２’について、図５（ａ）乃至（ｃ）を参照して説明する。図５（ａ）は図５（ｃ）のＡ１断面であり、図５（ｂ）は図５（ｃ）のＡ２断面である。端部Ｃ２’は、図５（ａ）に示すように、入射面３１の中央部寄りに屈曲していることが好ましい。この構成によれば、凹部３４（入射面３１）に入射した光のうち、出射面３２の端部Ｃ２’近傍へ向かう光の、その近傍に対する入射角が大きくなるので、この界面において全反射され易くなる。そのため、この端部Ｃ２’近傍を透過して、光学レンズ３の短手方向への漏れる光が少なくなり、光源２０からの光を効率的に利用することができる。このような屈曲した端部Ｃ２’は、光学レンズ３のうち、光源２０に近い位置、すなわち、図５（ｃ）に示すＢ断面における中央部を通る断面Ａ１において形成されていればよい。従って、光学レンズ３のうち、光源２０から遠い位置、すなわち、図５（ｃ）に示すＢ断面における入射面３１の端部を通る断面Ａ２においては、図５（ｂ）に示すように、端部Ｃ２’は屈曲されていなくてもよい。
【００２８】
また、光学レンズ３は、図６に示すように、上述した入射面３１の中央部を通る法線ＮＬを含む一平面と直交する平面、本例では、トンネルのＢ断面に沿った凹部３４の断面形状が、出射面３２の断面形状を成す曲線Ｃ３とは軌道が異なる曲線Ｃ４から成る。すなわち、出射面３２の断面形状を成す曲線Ｃ３は、正円Ｓ１の一部を構成する曲線（円弧）であり、一方、凹部３４の断面形状を成す曲線Ｃ４は、楕円Ｓ２の一部を構成する曲線である。
【００２９】
このように、凹部３４を入射面３２に設けることにより、出射面３２における光の屈折に加えて、入射面３１（凹部３４）における光の屈折を制御して、より詳細に配光を制御することができる。また、Ｂ断面に沿う凹部３４の断面形状が、上述したように、出射面３２の断面形状を成す曲線Ｃ３とは軌道が異なる曲線Ｃ４から成されることにより、Ｂ断面に沿った方向の配光を制御することができる。つまり、光学レンズ３は、Ａ断面に沿う出射面３２の断面形状によって、Ａ断面に沿った方向の配光を制御することができ、Ｂ断面に沿う凹部３４の断面形状によって、Ｂ断面に沿った方向の配光を制御することができる。
【００３０】
ここで、凹部３４の形状について、図７及び図８を参照してより詳細に説明する。まず、レンズ本体部３０内に、図７に示すような、仮想上の回転切片５を作製する。この回転切片５は、曲率半径の異なる複数の曲線又は楕円により構成されている。そして、この回転切片５を、図８に示すように、楕円軌道Ｓ３に沿ってスイープして得られた仮想立体５０の表面に沿って、レンズ本体部３０を、入射面３１（光源収納部３３）側から刳り貫くことにより、凹部３４の外殻表面が形成される。
【００３１】
上述のように構成された本実施形態の光学レンズ３を用いた照明装置１の配光曲線を図９及び図１０に示す。図９は、上記図４の（Ａ）に示したように、出射面３２のＢ断面に沿った断面形状において、第１の曲線Ｃ１と第２の曲線Ｃ２との境界に段差がある光学レンズ３を用いたときの配光曲線を示す。図１０は、上記図４の（Ｂ）に示したように、第１の曲線Ｃ１と第２の曲線Ｃ２との境界が、逆Ｒ状部Ｍによって滑らかに連続している光学レンズ３を用いた時の配光曲線を示す。
【００３２】
上記図１５に示したような、従来の光学レンズ１０３を用いた場合、上記図１６に示したように、Ａ断面に沿う配光曲線において、配光角度１０〜２０°における膨らみが大きく（同図中Ｌ１）、一方、配光角度３０〜４０°における膨らみが小さくなった（図中Ｌ２）。また、Ａ断面に沿う光の一部が、光学レンズ３の側方へ漏れていた（図中Ｌ３）。
【００３３】
これに対して、本実施形態の光学レンズ３を用いた場合、図９に示すように、Ａ断面に沿う配光曲線において、配光角度１０〜２０°における膨らみが小さくなり（同図中Ｌ１）、一方、配光角度３０〜４０°における膨らみが大きくなった（図中Ｌ２）。更に、光学レンズ３の側方への光の漏れも抑制された（図中Ｌ３）。
【００３４】
このように、光学レンズ３によれば、Ａ断面に沿う配光曲線において、出射面３２のうち、第１の曲線Ｃ１によって模られた箇所（図３参照）によって、配光角度１０〜２０°における膨らみを小さくすることができる。つまり、第１の曲線Ｃ１によって模られた箇所は、出射光を狭角の配光制御する狭角部として機能し、この狭角に配光された光の輝度を僅かに抑制する。また、出射面３２のうち、第２の曲線Ｃ２によって模られた箇所によって、配光角度３０〜４０°における膨らみを大きくすることができる。つまり、第１の曲線Ｃ１によって模られた箇所は、出射光を狭角の配光制御する広角部として機能し、この広角に配光された光の輝度を促進する。このように、出射面３２として狭角部と広角部とを有する光学レンズを用いて配光制御することにより、照明装置１は、トンネル内の車線中央部の輝度が高くなり過ぎず、また、路肩近傍の輝度が低くなり過ぎず、路面全体に対して光を均一に照射することができる。
【００３５】
なお、図９に示す配光曲線においては、図中Ｌ２で示す領域に、第１の曲線Ｃ１と第２の曲線Ｃ２との境界に段差に起因する光ムラが見られる。これに対して、第１の曲線Ｃ１と第２の曲線Ｃ２との境界を滑らかに連続させた光学レンズ３を用いた場合、図１０に示すように、Ａ断面に沿う配光曲線において、図中Ｌ２で示す領域の光ムラが低減された。
【００３６】
次に、本実施形態の光学レンズ３を用いた照明装置１の器具評価を行なった。なお、この器具評価においては、出射面３２を模る第１の曲線Ｃ１及び第２の曲線Ｃ２が滑らかに連続するように構成された構成、すなわち図４の（Ａ）に示した構成であり、図１０に示した配向曲線となる光学レンズ３を用いた。その結果を下記の表１に示す。
【００３７】
【表１】
2012212574.tif 000003
【００３８】
上記表１において、Ｕ０（総合均斉度）は、路面上の対象物の見え方を左右する指標であり、Ｌｍｉｎ（車道最小部分輝度）／Ｌｒ（車道平均路面輝度）によって表される。トンネル照明においては、Ｕ０は０．４以上が好ましいとされる。Ｕｌ（車線軸均斉度）は、前方方向の明暗による不快の程度を左右する指標であり、Ｌｍｉｎ（ｌ）（車線中心線上の最小部分輝度）／Ｌｒ（車線中心線上の最大部分輝度）によって表される。Ｕｌは０．６以上が好ましいとされる。Ｔｉ値（グレア）は、光の眩しさを左右する指標であり、トンネル照明における相対閾値は１５％以下（規格値）が好ましいとされる。
【００３９】
上記表１に示した結果は、Ｕ０及びＵｌのいずれの地点の評価においても、目標配向を満たすものであった。一方、グレアに関しては、目標を満たさなかったものの、規格値である１５％以下に抑えることができた。また、照明率についても、目標を上回り、光学レンズ３により、光利用効率が向上することが示された。
【００４０】
上述した図５（ａ）において、第２の曲線Ｃ２の入射面３１と連続する端部Ｃ２’が、入射面３１の中央部寄りに屈曲している光学レンズ３を示した。ここで、図１１（ａ）に示すように、端部Ｃ２’が、入射面３１の中央部寄りに屈曲していない光学レンズ３を用いた場合の配光曲線を、図１１（ｂ）に示す。この光学レンズ３によれば、上記図Ａ断面の配光曲線が、図中Ｌ４で示される領域において若干広がるが、図中Ｌ５で示される領域のボリュームが少なくなった。この結果は、光学レンズ３に入射した光が、僅かながら出射面３２の端部Ｃ２’近傍から外部に放射をされているので、光が照射される範囲が広がる一方で、前面方向に対する輝度が低下したことを示す。これに対して、端部Ｃ２’を入射面３１の中央部寄りに屈曲させることにより、この輝度低下を抑制することができる。
【００４１】
次に、本実施形態の変形例に係る光学レンズについて、図１２及び図１３を参照して説明する。この変形例に係る光学レンズ３は、図１２（ａ）（ｂ）に示すように、出射面３２が、入射面３１の中央部を通る法線ＮＬを含む一平面と直交する平面視、すなわちＢ断面から見たときに、その両端領域Ｇに、グレア抑制加工が施されているものである。この構成によれば、Ｂ断面に沿った配光曲線において、特に広角に配光される光をグレアを抑制することができる。
【００４２】
例えば、図１３に示すように、トンネルＴ内を走行する自動車に乗るドライバＤは、前方に位置する照明装置１から光Ｌ１を受ける。しかし、この変形例においては、光Ｌ１はグレア抑制加工を施された出射面３２から出射されているので、ドライバＤに対して眩しさによる不快感を与え難くすることができる。一方、Ａ断面に沿った方向へは、グレア抑制加工を施されていない出射面３２から光Ｌ２が出射されるので、ドライバＤは、前方の照射物を明確に視認することができる。
【００４３】
なお、本発明は、上記実施形態に限らず、種々の変形が可能である。例えば、光学レンズ３の出射面において、第１の曲線Ｃ１の両側に配される一対の第２の曲線Ｃ２は、その曲率半径が第１の曲線Ｃ１よりも小さければよく、第２の曲線Ｃ２同士の曲率半径は、必ずしも一致していなくてもよい。すなわち、トンネルのＡ断面に沿う出射面３２の断面形状は、法線ＮＬに対して比対称であってもよい。また、第２の曲線Ｃ２の外側に、曲率半径の異なる更なる曲線が配されていてもよい。
【符号の説明】
【００４４】
１    照明装置
２０    光源
３    光学レンズ
３１    入射面
３２    出射面
３４    凹部
Ｃ１    第１の曲線
Ｃ２    第２の曲線
ＮＬ    入射面の中央部を通る法線
【図１】
2012212574.tif 000004
【図２】
2012212574.tif 000005
【図３】
2012212574.tif 000006
【図４】
2012212574.tif 000007
【図５】
2012212574.tif 000008
【図６】
2012212574.tif 000009
【図７】
2012212574.tif 000010
【図８】
2012212574.tif 000011
【図１１】
2012212574.tif 000012
【図１２】
2012212574.tif 000013
【図１３】
2012212574.tif 000014
【図１４】
2012212574.tif 000015
【図１５】
2012212574.tif 000016
【図１６】
2012212574.tif 000017
【図９】
2012212574.tif 000018
【図１０】
2012212574.tif 000019